(57)【要約】【課題】  容易に偽造することができず、また特異な見え方をすることで、真正性の判別力が高い識別媒体を提供する。【解決手段】  コレステリック液晶層１０６と、異なる屈折率を有する光学薄膜を多層に積層した多層薄膜１０３とを積層することで、反射光中に異なる旋回方向の円偏光が含まれる特異な光学的な性質を有する識別媒体を得る。また、このような光学的な性質を利用した識別方法、識別対象となる物品あるいは識別装置が提供される。【選択図】  図１
2005134490.tif 000002
【特許請求の範囲】
【請求項１】
特定の円偏光を反射する円偏光選択性を有するコレステリック液晶層と、
異なる屈折率を有する光透過性薄膜フィルムを多層に積層した多層薄膜と
を備えることを特徴とする識別媒体。
【請求項２】
所定の視野角から観察した場合における前記コレステリック液晶層からの第１反射光と前記多層薄膜からの第２反射光とが、略同色に見えるように設定されており、
前記第１反射光は、所定の中心波長を有する所定の旋回方向の円偏光であり、
前記第２反射光には、前記第１反射光と逆の旋回方向の円偏光が含まれていることを特徴とする請求項１に記載の識別媒体。
【請求項３】
所定の視野角から観察した場合における前記コレステリック液晶層からの第１反射光と前記多層薄膜からの第２反射光とが、異なる色に見えるように設定されており、
前記第１反射光は、所定の中心波長を有する所定の旋回方向の円偏光であり、
前記第２反射光には、前記第１反射光と逆の旋回方向の円偏光、前記第１反射光と同一の旋回方向の円偏光および直線偏光が含まれていることを特徴とする請求項１に記載の識別媒体。
【請求項４】
前記コレステリック液晶層または前記多層薄膜の少なくとも一部に図柄が付与されていることを特徴とする請求項１〜３のいずれかに記載の識別媒体。
【請求項５】
前記コレステリック液晶層または前記多層薄膜の少なくとも一部にホログラム加工または型押し加工が施されていることを特徴とする請求項１〜４のいずれかに記載の識別媒体。
【請求項６】
層間剥離または剥離破壊構造を備えていることを特徴とする請求項１〜５のいずれかに記載の識別媒体。
【請求項７】
請求項１〜６のいずれかに記載の識別媒体を備えたことを特徴とする識別対象となる識別対象物品。
【請求項８】
特定の円偏光を反射する円偏光選択性を有するコレステリック液晶層と、
異なる屈折率を有する光透過性薄膜フィルムを多層に積層した多層薄膜と
を備える識別媒体の識別方法であって、
前記識別媒体を所定の旋回方向の円偏光を選択的に透過する光学フィルタを介して観察することを特徴とする識別媒体の識別方法。
【請求項９】
特定の円偏光を反射する円偏光選択性を有するコレステリック液晶層と、
異なる屈折率を有する光透過性薄膜フィルムを多層に積層した多層薄膜と
を備える識別媒体の識別方法であって、
前記識別媒体に所定の旋回方向の円偏光を照射し、その反射光を観察することを特徴とする識別媒体の識別方法。
【請求項１０】
特定の円偏光を反射する円偏光選択性を有するコレステリック液晶層と、
異なる屈折率を有する光透過性薄膜フィルムを多層に積層した多層薄膜と
を備える識別媒体の識別を行う装置であって、
所定の旋回方向の円偏光を透過する光学フィルタと、
前記光学フィルタを透過した透過光を検出する検出装置と
を備えることを特徴とする識別媒体の識別装置。
【請求項１１】
特定の円偏光を反射する円偏光選択性を有するコレステリック液晶層と、
異なる屈折率を有する光透過性薄膜フィルムを多層に積層した多層薄膜と
を備える識別媒体の識別を行う装置であって、
前記識別媒体に所定の旋回方向の円偏光を照射する装置と、
前記識別媒体からの反射光を検出する検出装置と
を備えることを特徴とする識別装置。
【発明の詳細な説明】
【技術分野】
【０００１】
本発明は、パスポート、書類、各種カード、パス、紙幣、金券、証券、証書、商品券、絵画、切符、公共競技投票券、音楽や映像が記録された記録媒体、コンピュータソフトウェアが記録された記録媒体、各種製品のパッケージ等の真正性（真贋性）を識別する技術に利用して好適な技術に関する。
【背景技術】
【０００２】
料金の精算が行える各種のカードや証明書等には、偽造品の不正使用を防止するために、その真正性を判別する技術が必要とされている。
【０００３】
この技術として、特殊なインクを塗布する技術がある。例えば、紫外線に対して蛍光するインクを用いて、所定の文字や図柄を印刷し、紫外線を照射した際にその図柄や文字を浮かび上がらせることで、真正性を確認することができる。また、磁性体の粒子や磁性を帯びた粒子を混ぜたインクを塗布し、磁気センサで真正性を識別する技術が知られている。
【０００４】
また、ホログラムを利用して真正性を判別する技術も知られている。また、複写による有価証券等の偽造を防止する技術として、コレステリック液晶が示す光学特性を利用した技術が特許文献１に示されている。
【０００５】
【特許文献１】特開平４−１４４７９６号公報
【発明の開示】
【発明が解決しようとする課題】
【０００６】
しかしながら、特殊なインクは、そのインクを入手され、悪用することが比較的容易であり、偽造を防止する能力はさほど高くない。また、ホログラムを利用する方法は、ホログラムの偽造技術が向上し、真正判断が困難な偽物が製造される場合があるので、より偽造が困難な技術が求められている。
【０００７】
また、コレステリック液晶を用いた技術においても、その識別媒体が入手され、その代価品を製造しようとしても、同様な光学特性を有する偽物を製造することが困難であるような、複雑で特異な光学特性を示す識別媒体が求められている。
【０００８】
また、光学的な性質を用いた識別媒体においては、偽造の困難性のみではなく、識別時に高い識別力が得られるような特異な光学特性、言い換えれば瞬時に識別媒体の特異性が識別できるような光学的な性質が求められている。
【０００９】
本発明は、容易に偽造することができず、また特異な見え方をすることで、真正性の判別力が高い識別媒体を提供することを目的とする。また、本発明は、そのような識別媒体を備えた物品を提供することを他の目的とする。また、本発明は、真正性の判別力に優れた識別方法および識別装置を提供することをさらに他の目的とする。
【課題を解決するための手段】
【００１０】
本発明は、コレステリック液晶層と、異なる屈折率を有する光透過性薄膜フィルムを多層に積層した多層薄膜とを組み合わせることで、コレステリック液晶層が有する光学的な性質と上記多層薄膜が有する光学的な性質を相乗的に利用し、従来技術では得られなかった特異な光学特性が得られる識別媒体を提供するものである。
【００１１】
まず、コレステリック液晶層が有する光学的な性質について説明する。図２は、コレステリック液晶層の構造を示す図である。コレステリック液晶は層状構造をなしており、各層での分子長軸方向が互いに平行であり、かつ層面に平行である。また、各層は少しずつ回転して重なっており、立体的にスパイラル構造をとる。
【００１２】
ここで、層に垂直な方向で考えて、分子長軸が３６０度回転して元へ戻るまでの距離をピッチＰ、各層内の平均屈折率をｎとして、λｓ＝ｎ・Ｐを満たす、中心波長λｓの円偏光に対して、当該コレステリック液晶層は、選択的な反射特性を示す。すなわち、特定の偏光状態にない光（自然光）を照射した際に、中心波長λｓの円偏光のみを選択的に反射する。また、この反射される円偏光の旋回方向は、コレステリック液晶層の回転方向に応じて、右回りまたは左回りが決まる。つまり、コレステリック液晶層は、特定中心波長であり、かつ特定旋回方向の円偏光を選択的に反射し、他の波長領域の特定旋回方向の円偏光成分、さらに直線偏光成分や逆旋回方向の円偏光成分は透過させる。
【００１３】
図３は、コレステリック液晶層１０６において、特定波長で特定旋回方向の円偏光が選択的に反射される状態を示す概念図である。例えば、図２には、右回り（右ネジの向き）に各層の分子長軸が回転してゆくスパイラル構造を示すコレステリック液晶層１０６が示されている。このコレステリック液晶層に自然光を入射させると、特定中心波長帯域の右回り円偏光の成分が選択的に反射され、他の偏光成分（直線偏光成分や左回り円偏光）や他の波長帯域の右回り円偏光はコレステリック液晶層１０６を透過する。
【００１４】
例えば、可視光を吸収する黒紙のような材料の上に、赤色の中心波長λｓを反射する図２の構造を有するコレステリック液晶を配置し、太陽光などのランダム光を当てると透過光は全て黒紙に吸収され、中心波長λｓの右回り円偏光のみが選択的に反射され、肉眼ではこのコレステリック液晶層は鮮やかな赤色に見える。
【００１５】
このような、この特定の旋回方向の特定の中心周波数の光を選択的に反射する性質を円偏光選択性という。
【００１６】
また、コレステリック液晶は見る角度によって色が変わるという特徴を有する。これは、ピッチＰが見かけ上減少することから、中心波長λｓが短波長側へ移行するためである。たとえば、垂直方向から観察して赤色に呈色するコレステリック液晶の反射色は、視野角を大きくするに従いオレンジ色、黄色、緑色、青緑色、青色と順次変化するように観察される。この現象をブルーシフトという。なお、視野角とは、観察面への垂線と視線とのなす角度として定義される。
【００１７】
次に、異なる屈折率を有する光透過性薄膜フィルムを多層に積層した多層薄膜が有する光学的な性質について説明する。図４は、多層薄膜における光の反射状態を示す概念図である。図４には、一例として第１の屈折率を有する光透過性の薄膜フィルム４０１（Ａ層）と第２の屈折率を有する光透過性の薄膜フィルム４０２（Ｂ層）とを交互に多層に積層した構造が示されている。
【００１８】
多層薄膜４０３に白色光を当てると、異なる屈折率を有する光媒体の界面において入射光の反射がフレネルの反射則に従って発生する。この際、Ａ層とＢ層との間の界面において、入射光の一部が反射し、その他は透過する。Ａ層とＢ層との間の界面は、繰り返し現れるので、各界面で生じた反射光は干渉する。入射光の入射角を徐々に大きくすると、各界面で生じた反射光の光路差は、徐々に小さくなり、より短波長の光が干渉し強め合うようになる。従って、白色光が当たっている多層薄膜４０３をより斜め（面に平行に近い角度）から見る程、より短波長の光が強く反射しているように見える。例えば、白色光が当たっている多層薄膜４０３を傾けて行くと反射光がだんだん青っぽく見えるようになる。この現象もブルーシフトという。なお、入射角は、入射面への垂線と入射光のなす角度として定義される。
【００１９】
コレステリック液晶層と、異なる屈折率を有する光透過性薄膜フィルムを多層に積層した多層薄膜とを積層した構造の識別媒体は、上述した２つの光学効果が相乗的に作用することで、以下に説明するように特異な視覚効果を発揮する。
【００２０】
以下、この特異な光学的な視覚効果の原理について説明する。図５および図６は、コレステリック液晶と多層薄膜との積層構造体における光の反射状態を示す概念図である。図５および図６には、円偏光を選択的に反射するコレステリック液晶層５０１と、図４の構成を有する多層薄膜５０２とが積層された積層構造５０３が示されている。
【００２１】
積層構造５０３に自然光が入射角θで入射すると、特定中心波長の右回り円偏光がコレステリック液晶層５０１で選択的に反射される。ここで、前記特定中心波長以外の右回り円偏光、左回り円偏光および直線偏光は、コレステリック液晶層５０１を透過し、その一部は多層薄膜５０２で反射される。理想的には、多層薄膜５０２で反射される特定波長の左回り円偏光は、旋回方向が反転し、右回り円偏光となる。したがって、コレステリック液晶層５０１を透過した左回り円偏光のうち、多層薄膜５０２で反射した成分は、コレステリック液晶層５０１を透過できない。しかしながら、実際には、多層薄膜５０２に入射する光には直線偏光の光も含まれ、さらに各層の界面からの反射が重層的に発生するので、反射光として左回り円偏光の成分も生成される。つまり、多層薄膜５０２からの反射光には、左回り円偏光の成分も含まれる。また、最初に多層薄膜５０２で反射し右回り円偏光になった光もコレステリック液晶層５０１で反射し、再度多層薄膜５０２で反射し左回り円偏光に変わるので、コレステリック液晶層５０１を透過することになる。
【００２２】
左回り円偏光は、コレステリック液晶層５０１を透過するから、ある角度から積層構造５０３を見ると、コレステリック液晶層５０１において反射された右回り円偏光と、多層薄膜５０２において反射された左回り円偏光の２つが同時に見えることになる。
【００２３】
ここで、例えば、視野角θで積層構造５０３を見た場合を考える。この場合、コレステリック液晶層５０１において反射される右回り円偏光の色が青に見えるように、コレステリック液晶層５０１のピッチＰ、各層内の平均屈折率ｎを設定し、さらに視野角θで多層薄膜５０２を見た場合に各界面からの反射光の干渉が青の波長帯域で発生するように、材料と各層の厚さを設定するとする。
【００２４】
すると、コレステリック液晶層５０１からの青の右回り円偏光と多層薄膜５０２からの青の左回り円偏光および直線偏光が同時に観察される。その為、コレステリック液晶層が単独の場合よりも青の反射光が強調されて観察される。また、右回り円偏光のみを透過するフィルタを介して、積層構造５０３からの反射光を観察すると、このフィルタによって、多層薄膜５０２からの青の左回り円偏光および直線偏光は遮断され、観察される反射光はフィルタを用いない場合に比較して弱くなる。逆に、左回り円偏光のみを透過するフィルタを介して、積層構造５０３からの反射光を観察すると、多層薄膜５０２からの左回り円偏光のみが観察され、やはりフィルタを用いない場合に比較して観察される反射光は弱くなる。
【００２５】
この原理を利用すると、次のような識別媒体を実現できる。すなわち、コレステリック液晶層５０１と多層薄膜５０２とにホログラム加工を施し、特定のロゴや図柄等がホログラム効果によって見えるようにした場合、積層構造５０３を直接見た場合には、コレステリック液晶層５０１と多層薄膜５０２に形成されたホログラムが重なって見えるが、特定の旋回方向の円偏光を透過するフィルタを介して、積層構造５０３を見ると、一方のホログラムしか見えない、といような特異な見え方をする識別媒体を実現できる。ここでは、ホログラムの例を挙げたが、型押しや印刷による図柄であっても同様である。
【００２６】
また、図６に示すように、視野角θで観察した場合に、コレステリック液晶層５０１から反射される右回り円偏光が赤に見えるように設定し、多層薄膜５０２から青の反射光が反射されるように設定すると、肉眼で直接見た場合に、赤の右回り円偏光と青の光とが混ざった反射光を観察することができる。この色彩は、視野角を変化させるとブルーシフト効果により当然変化する。
【００２７】
また、この反射光を、左回り円偏光を透過するフィルタを介して観察すれば、コレステリック液晶層５０１からの右回り円偏光の反射光は遮断され見えず、青の反射光のみが見える。逆にフィルタを用いず、直接観察すれば、赤と青が混ざった色が見える。そして、ここに図柄が組み合わせてあれば、一方の図柄が見えて他方が見えない、といった視覚効果が得られる。
【００２８】
すなわち、本発明の識別媒体は、特定の円偏光を反射する円偏光選択性を有するコレステリック液晶層と、異なる屈折率を有する光透過性薄膜フィルムを多層に積層した多層薄膜とを備えることを特徴とする。また、本発明において、所定の視野角から観察した場合における前記コレステリック液晶層からの第１反射光と前記多層薄膜からの第２反射光とが、略同色に見えるように設定されており、前記第１反射光は、所定の中心波長を有する所定の旋回方向の円偏光であり、前記第２反射光には、前記第１反射光と逆の旋回方向の円偏光が含まれていることは好ましい。また本発明において、所定の視野角から観察した場合における前記コレステリック液晶層からの第１反射光と前記多層薄膜からの第２反射光とが、異なる色に見えるように設定されており、前記第１反射光は、所定の中心波長を有する所定の旋回方向の円偏光であり、前記第２反射光には、前記第１反射光と逆の旋回方向の円偏光、前記第１反射光と同一の旋回方向の円偏光および直線偏光が含まれていることは好ましい。
【００２９】
この本発明によれば、コレステリック液晶層が示す光学的な性質と、異なる屈折率を有する光透過性薄膜フィルムを多層に積層した多層薄膜とが示す光学的な性質とを単に加え合わせたものではない、それらからは予想されない顕著に特異な光学的な性質を得ることができる。すなわち、本発明の識別媒体に自然光を照射した場合、反射光として、右回りと左回りの両方の円偏光が含まれたものが得られる。コレステリック液晶層は、ある回転方向の円偏光を選択的に反射するのであるが、多層薄膜には、それとは逆の円偏光を選択的に反射する性質はない。しかし、両者を組み合わせると、上述の説明から理解されるように、識別媒体からは、右回りと左回りの円偏光および直線偏光が反射される。
【００３０】
本発明の識別媒体は、このような特異な光学的な性質にブルーシフト現象が組み合わされるので、識別の高い光学特性を得ることができる。この光学特性は、リバースエンジニアリングにより、再現することは困難であり、そのため偽物を製造することが難しい。このことは、真正性を判別するための識別媒体として極めて好ましい。
【００３１】
異なる屈折率を有する光透過性薄膜フィルムを多層に積層した多層薄膜というのは、屈折率の異なる少なくとも２種類の光透過性薄膜フィルムを積層し、屈折率の異なる光透過性薄膜フィルム同士の界面が少なくとも一つ存在する多層構造をいう。この多層薄膜の具体的な構造としては、異なる屈折率を有する２種類の光透過性薄膜フィルムを交互に多層に重ねた構成、第１〜第Ｎ（Ｎは自然数）の屈折率を有した第１〜第Ｎの光透過性薄膜フィルムを順に積層したものを１単位として、それを任意の数で積層した構造等が挙げられる。
【００３２】
本発明において、コレステリック液晶層または多層薄膜の少なくとも一部に図柄が付与されていることは好ましい。この態様によれば、図柄の見え方の特異性を利用した識別媒体を提供することができる。
【００３３】
ここで図柄とは、文字、ロゴ、図形、模様、その他観察者に何らかのデザイン性を感じさせる視覚的効果を発揮させるものをいう。図柄の付与には、インクの印刷、薄膜の貼り付け、転写、型押し、エンボス構造の付与等の手法が挙げられる。また、好ましい図柄としてホログラム加工によって形成されたものを挙げることができる。また、図柄は、ここに列挙したような各種の方法を数種組み合わせて形成されていてもよい。
【００３４】
本発明の識別媒体をカード等の識別対象物品に備えることで、識別性の高い特異な視覚効果を示す識別媒体部分を備えた識別対象物が提供される。識別対象物としては、パスポート、書類、各種カード、パス、紙幣、金券、証券、証書、商品券、絵画、切符、公共競技投票券、音楽や映像が記録された記録媒体、コンピュータソフトウェアが記録された記録媒体、各種製品およびそのパッケージ等が挙げられる。
【００３５】
本発明の識別媒体の識別方法は、特定の円偏光を反射する円偏光選択性を有するコレステリック液晶層と、異なる屈折率を有する光透過性薄膜フィルムを多層に積層した多層薄膜とを備える識別媒体の識別方法であって、識別媒体を所定の円偏光を透過する円偏光フィルタを介して観察することを特徴とする。
【００３６】
本発明の識別媒体に自然光を照射した際における反射光には、旋回方向の異なる円偏光が混じっている。従って、本発明の識別媒体を直接見た場合と、特定の旋回方向の円偏光を選択的に透過する光学フィルタを介して見た場合とでは、見え方が異なる。この見え方の異なり具合によって、識別性を得ることができる。なお、この見え方の異なり具合は、コレステリック液晶層や多層薄膜の設計や図柄の組み合わせによって、多様に複雑に設定することができる。
【００３７】
本発明の識別媒体の識別方法は、特定の円偏光を反射する円偏光選択性を有するコレステリック液晶層と、異なる屈折率を有する光透過性薄膜フィルムを多層に積層した多層薄膜とを備える識別媒体の識別方法であって、識別媒体に所定の円偏光を照射し、その反射光を観察することを特徴とする。
【００３８】
本発明の識別媒体に自然光を照射した際における反射光には、旋回方向の異なる円偏光が混じっている。従って、本発明の識別媒体に自然光を照射した場合と特定の旋回方向の円偏光を照射した場合とで、その反射光は異なるものとなり、識別媒体の見え方に違いが生じる。この現象を利用することで、識別性を得ることができる。
【００３９】
本発明の識別装置は、特定の円偏光を反射する円偏光選択性を有するコレステリック液晶層と、異なる屈折率を有する光透過性薄膜フィルムを多層に積層した多層薄膜とを備える識別媒体の識別を行う装置であって、所定の旋回方向の円偏光を透過する円偏光フィルタと、円偏光フィルタを透過した透過光を検出する検出装置とを備えることを特徴とする。
【００４０】
本発明の識別装置は、特定の円偏光を反射する円偏光選択性を有するコレステリック液晶層と、異なる屈折率を有する光透過性薄膜フィルムを多層に積層した多層薄膜とを備える識別媒体の識別を行う装置であって、識別媒体に所定の円偏光を照射する装置と、識別媒体からの反射光を検出する検出装置とを備えることを特徴とする。
【発明の効果】
【００４１】
本発明によれば、容易に偽造することができず、また特異な見え方をすることで、真正性の判別力が高い識別媒体が提供される。また、本発明によれば、そのような識別媒体を備えた物品が提供される。また、本発明によれば、真正性の判別力に優れた識別方法および識別装置が提供される。
【００４２】
また本発明の識別媒体は、左右の円偏光成分、色彩、図柄、カラーシフトといった光学現象が複雑に絡み合って現れる現象を利用して識別性を持たせているので、画像の取り込みによるコピーを用いた偽造が原理的に不可能であるという優位性がある。さらに、色彩感に優れているので、意匠性に優れたもの得ることができる。このことは、意匠性が重要な製品を識別対象物品とする場合に有用となる。
【発明を実施するための最良の形態】
【００４３】
（第１の実施の形態）
１．実施形態の構成
図１は、実施形態の識別媒体の断面構造を示す断面図である。図１には、カード等の所定の物品１０１に本発明を利用した識別媒体１００が接着層または粘着層１０２によって貼り付けられ固定された状態が示されている。識別媒体１００は、多層薄膜１０３、接着層または粘着層１０４、コレステリック液晶層１０６、表面保護層１０７と積層された構造を有している。
【００４４】
接着層または粘着層１０２は、識別媒体１００を物品１０１に固定させる機能を有している。接着層または粘着層１０２は、シールのように離型フィルムを剥がすと接着力が現れるものや、紫外線硬化樹脂、熱硬化樹脂、その他公知の接着材料で構成される。接着層または粘着層１０２は、光吸収層としても機能する。そのため、接着層または粘着層１０２には、黒あるいは濃い色の顔料が含まれており、可視光を吸収する機能が付与されている。なお、接着層または粘着層１０２とは別に可視光を吸収する光吸収層を設けてもよい。なお、接着層または粘着層に、剥離すると文字が出るような加工を加えても良い。
【００４５】
多層薄膜１０３は、ポリエチレン−２，６−ナフタレートからなる第１の薄膜フィルムと、コポリエチレンテレフタレートからなる第２の薄膜フィルムとが交互に総数で２０１層積層されたもので、２０μｍの厚さを有している。接着層または粘着層１０４は、硬化後に光透過性を示す紫外線硬化樹脂で構成され、厚さが５μｍである。
【００４６】
コレステリック液晶層１０６は、図２に示す構造を有し、厚さが２μｍである。コレステリック液晶層１０６には、適当な図柄のホログラム１０５を形成するためのエンボス加工が施されている。
【００４７】
表面保護層１０７は、厚さ４０μｍの等方性トリアセチルセルロース（ＴＡＣ）である。表面保護層１０７は、透過する円偏光の偏光状態を乱さないようにするために、屈折率が等方性なものが使用される。なお、表面保護層１０７の材質は、上述の材料に限定されるわけではない。
【００４８】
この例では、コレステリック液晶層１０６から右回りの円偏光が反射されるように設定されている。当然、多層薄膜１０３から反射され、コレステリック液晶層１０６を透過する光は、左回り偏光と直線偏光となる。また、この例では、白色光が当たっている状態で、識別媒体１００を視野角０°の向きから見た場合に、赤に見える右回りの円偏光がコレステリック液晶層１０６から反射されるように設定されている。また、白色光が当たっている状態で所定の視野角から、識別媒体１００を見た場合に、多層薄膜１０３から反射される光の中心波長とコレステリック液晶層１０６から反射される光の中心波長がほぼ一致するように設定されている。例えば、この中心波長は、やや黄色がかったオレンジ色の帯域の光となるように設定される。
【００４９】
多層薄膜１０３とコレステリック液晶層１０６とを接着層または粘着層１０４で一体化させるのではなく、コレステリック液晶層を多層薄膜のフィルムに転写した構造とすることもできる。また、コレステリック液晶層へのホログラム加工は、コレステリック液晶層の上下どちらの面に施してもよい。
【００５０】
２．実施形態の製造方法
第１の実施形態の製造方法の一例を説明する。最初に、コレステリック液晶層１０６の製造方法について説明する。
【００５１】
まず、低分子コレステリック液晶を重合性モノマー中に溶解して保持させることでコレステリック液晶を成長させる。その後、光反応または熱反応などで低分子液晶を架橋して分子配向を固定するとともに高分子化し、コレステリック液晶の原液を得る。この原液を表面保護層１０７の一面に所定の厚さになるように塗布し、コレステリック配向および分子配向の固定を行なう。この際、コレステリック液晶分子の積層方向に沿った捻れのピッチＰが一様で、積層された厚さが２μｍになるようにする。コレステリック液晶層の厚さは、０．５μｍ〜５．０μｍ程度の範囲から選択するのが適当である。次にコレステリック液晶層１０６にエンボス加工を施し、ホログラム１０５を形成する。こうして、表面保護層１０７を支持体として、コレステリック液晶層１０６を形成する。
【００５２】
コレステリック液晶の原液を得る方法としては、側鎖型または主鎖型のサーモトロピック高分子液晶をその液晶転移点以上に加熱してコレステリック液晶構造を成長させた後、液晶転移点以下の温度に冷却して分子配向を固定する方法でもよい。また、側鎖型または主鎖型のリオトロピック高分子液晶を溶媒中でコレステリック配向させた後、溶媒を徐々に揮発させて分子配向を固定する方法でもよい。
【００５３】
これらの原料としては、側鎖に液晶形成基を有するポリアクリレート、ポリメタクリレート、ポリシロキサン、ポリマロネートなどの側鎖型ポリマーや、主鎖に液晶形成基を有するポリエステル、ポリエステアミド、ポリカーボネート、ポリアミド、ポリイミドなどの主鎖型ポリマーを挙げることができる。
【００５４】
次に多層薄膜１０３の製造方法を説明する。まず、ポリエチレン−２，６−ナフタレートからなる層（Ａ層）を１０１層、イソフタル酸１２モル％共重合ポリエチレンテレフタレートからなる層（Ｂ層）を１００層、交互に積層して総数２０１層の未延伸シートを作製する。このシートを１４０℃の温度で縦方向に３．５倍延伸し、さらに１５０℃の温度で横方向に５．７倍に延伸し、２１０℃で熱処理を行い、全体の厚さが２０μｍの積層構造を得る。こうして、多層薄膜１０３を得る。
【００５５】
次に、多層薄膜１０３の表面に紫外線効果樹脂を塗布し、接着層または粘着層１０４の硬化前の状態の層を形成し、その上にコレステリック液晶層１０６を張り合わせる。そして紫外線を照射して、接着層または粘着層１０４を硬化させ、多層薄膜１０３とコレステリック液晶層１０６とを接着層または粘着層１０４によって接着し、一体化させる。こうして、識別媒体１００を得る。
【００５６】
そして、接着層または粘着層１０２を構成する接着剤を多層薄膜１０３の露出した面に塗布し、適当な物品１０１に識別媒体１００を貼り付け、固定する。ここで、接着層または粘着層１０２として、離型シート付の粘着フィルムを利用すれば、シールのように適当な場所に貼り付けることができる識別媒体１００が得られる。
【００５７】
３．実施形態の動作
以下、白色光下あるいは白色光下と見なせる環境で識別媒体１００を表面保護層１０７側から見た場合における識別媒体の光学的な振る舞い（つまり見え方）について説明する。
【００５８】
まず、識別媒体１００を視野角０°の方向（つまり識別媒体１００の面に垂直な向き）からみると、コレステリック液晶層１０６から赤の右回り偏光が反射され、ホログラム１０５の図柄が赤く見える。この状態から、識別媒体１００を傾け、視野角を大きくしてゆくと、ある視野角のところで、赤より短波長側の色が強く見える。すなわち、赤く見えていたものが、より短波長の色で、見えるように見た目が変化する。さらに視野角を大きくしてゆくと、より短波長の青みがかった色彩に変化するが、その変化は、コレステリック液晶層１０６が示すブルーシフトと、多層薄膜１０３が示すブルーシフトが混ざったものとなる。
【００５９】
また、右回りの円偏光を選択的に透過する光学フィルタを介して、上述したのと同様な観察を行うと、多層薄膜１０３から反射される左回り円偏光は、このフィルタでカットされるのでコレステリック液晶層によるブルーシフトのみが観察される。
【００６０】
逆に、左回り円偏光を選択的に透過する光学フィルタを介して、上述したのと同様な観察を行うと、コレステリック液晶層１０６から反射される右回り円偏光はカットされ、多層薄膜１０３が示すブルーシフトのみが観察される。
【００６１】
したがって、右回り円偏光を透過する光学フィルタと左回り円偏光を透過する光学フィルタを用意し、両者を切り替えて用いて識別媒体１００を観察することで、コレステリック液晶層１０６が示す光学特性と、多層薄膜１０３が示す光学特性を個別に観察でき、その違いを認識できる。
【００６２】
また、特定の旋回方向の円偏光を透過する光学フィルタを介して、白色光を識別媒体１００に照射するのでもよい。例えば、右回り円偏光を選択的に透過する光学フィルタを用いて、右回り円偏光の光を識別媒体１００に照射した場合、その反射光は、コレステリック液晶層１０６のみからのものとなり、光学フィルタ使用／不使用を切り替えることで、光学特性の違いを認識することができる。
【００６３】
また、例えば、左回り円偏光を選択的に透過する光学フィルタを用いて、左回り円偏光の光を識別媒体１００に照射した場合、その反射光は、多層薄膜１０３のみからのものとなり、やはり光学フィルタ使用／不使用を切り替えることで、光学特性の違いを認識することができる。
【００６４】
このように、視野角を変化させて識別媒体１００を観察するだけでも、複雑で特異な色彩変化を示す識別性が得られ、さらに光学フィルタを用いることで、光学フィルタのある／なしによる見え方の顕著な差を観察することができる。
（第２の実施形態）
【００６５】
図７は、他の実施形態の断面構造を示す断面図である。この実施形態では、図1に示す構造に加えて、さらに印刷による図柄１０８を付加している。
【００６６】
例えば、この構造において、所定の角度から見た場合に、コレステリック液晶層１０６からの反射光の色と、多層薄膜１０３からの反射光の色とが略同じに見え、さらのその色に合わせて図柄１０８の色を決めるとする。
【００６７】
この場合、所定の角度から識別媒体１００を見た場合、所定の色が強調されて見える。さらにこの際、ホログラム１０５は見えるが、図柄１０８は、周囲の色と同色のため埋没し見難いものとなる。
【００６８】
そして、視野角を変化させると、図柄１０８の周囲の色がブルーシフトにしたがって変化する中で、図柄１０８が浮かび上がって見える。この現象を利用することで、識別能力を発揮させることができる。
【００６９】
また、右回り円偏光を選択的に透過する光学フィルタを介してこの識別媒体１００を見た場合、図柄１０８は、この光学フィルタによって左回り円偏光の光がカットされるために見難いが、ホログラム１０５の図柄は、見ることができる。そして、この光学フィルタを外して識別媒体１００を見ると、多層薄膜１０３からの反射光も見えるので、ホログラム１０５と同時に図柄１０８を認識することができる。
（第３の実施の形態）
【００７０】
本発明の識別媒体の一部に切れ目を入れてもよい。こうすると、再利用を目的に物品から無理やり剥がそうとした場合に、この切れ目から、識別媒体が破れ、その再利用ができなくなる。またこの構成は、パッケージの開封の有無を識別する開封識別シールに応用することもできる。
（第４の実施の形態）
【００７１】
本発明の識別媒体において、一部に層間剥離や剥離破壊が生じる構成を付与することは好ましい。たとえば、コレステリック液晶層において故意に層間剥離が生じ易くすることは好ましい。たとえば、図1に示す構造において、識別媒体１００を物品１０１から引き剥がそうとした場合に、接着層または粘着層１０２の固定力が失われる前に、コレステリック液晶層１０６の層構造が層間剥離するようにすることは好ましい。このようにすると、識別媒体１００を剥がして再利用しようとする不正が防止できる。コレステリック液晶層の層間剥離が生じやすく調整する方法は、例えば製造時における温度条件を調整することで実現できる。
【００７２】
また本発明の識別媒体において、識別媒体を物品に固定するための接着強度よりも、コレステリック液晶層と多層薄膜とを固定する固定強度の方を弱く設定してもよい。例えば、図１に示す構造において、接着層または粘着層１０４の接着強度を接着層または粘着層１０２の接着強度よりも弱く設定してもよい。この場合、識別媒体１００を物品１０１から無理やり引き剥がそうとしても、多層薄膜１０３からコレステリック液晶層１０６が先に剥がれてしまい、識別媒体１００の不正な再利用ができなくなる。
【００７３】
この形態を実現するには、接着層または粘着層１０４を構成する接着材料として、その接着力が接着層または粘着層１０２を構成する接着材料の接着力よりも弱いものを選択すればよい。
【００７４】
（第５の実施形態）
第１の実施形態において、所定の視野角から識別媒体を観察した場合に、多層薄膜１０３からの反射光とコレステリック液晶層１０６からの反射光とが異なるように設定してもよい。この場合、２種類の色彩を同時に観察できる。また、２つのブルーシフト効果が相乗的に現れるので、視野角によって複雑な見え方をする視覚効果を得ることができる。またこの場合、目視で見た場合、左回りの円偏光フィルタを通して見た場合、右回り円偏光フィルタを通して見た場合の３通りで、それぞれ見える色が異なるため視覚効果が得られる。
【００７５】
（第６の実施形態）
図８は、本発明の識別装置の一例を示す模式図である。図８に示す識別装置は、台座８０１、白色ランプ８０４、特定の旋回方向の円偏光を選択的に透過させる光学フィルタ８０５、光検出装置８０６および特定の旋回方向の円偏光を選択的に透過させる光学フィルタ８０７を備えている。光学フィルタ８０５および８０７は、個別に光路に挿入／離脱が可能になっている。
【００７６】
本発明を利用した識別媒体８０３が固定された物品８０２は、台座８０１に載せられ、真正であるか否かの判定が行われる。白色ランプは、特定の波長帯域に偏らず、また特定の偏光状態に偏らない光を発生する。
【００７７】
以下、図８の識別装置の動作例を説明する。ここでは、白色ランプ８０４からの光は、入射角４５°で識別媒体８０３に入射し、その反射光は視野角４５°で光検出装置８０６に入射するものとする。また、識別媒体８０３は、図1に示す構造を有し、白色光を当てた状態で視野角４５°の角度から見た場合に、コレステリック液晶層１０６から赤の右回り偏光を反射し、多層薄膜１０３からも赤の光を反射するように設定されているとする。
【００７８】
まず、光学フィルタ８０７を用い、光学フィルタ８０５を用いない場合の判定手順を説明する。判定を行うには、まず台座８０１の上に物品８０２を載せ、識別媒体８０３に光線が当たるように位置を調整する。そして、白色ランプ８０４を点灯させ、識別媒体８０３に白色光を照射する。この反射光の光路に右回り円偏光を選択的に透過する光学フィルタ８０７を挿入すると、光検出装置８０６では、コレステリック液晶層１０６からの赤い反射光のみが検出される。他方で、反射光の光路から光学フィルタ８０７を取り除くと、光検出装置８０６では、コレステリック液晶層１０６からの赤の反射光に加えて、多層薄膜１０３からの赤の反射光も検出される。この結果、光学フィルタ８０７を光路に挿入した場合に比較して、検出される光量が増加する。すなわち、光学フィルタ８０７を光路に挿入する／挿入しない、を選択することで、光検出装置８０６から異なる出力が得られ、識別媒体８０３を識別することができる。
【００７９】
同様な手順において、光学フィルタ８０７として、左回り円偏光を選択的に透過する光学フィルタを用いてもよい。この場合、光学フィルタ８０７を光路に挿入すると、コレステリック液晶層１０６からの反射光は遮断され、多層薄膜１０３からの左回り円偏光の反射光のみが検出される。他方で、光学フィルタ８０７を光路から外すと、多層薄膜１０３からの反射光には、左回り円偏光成分以外の直線偏光成分も含まれるようになり、さらにに、コレステリック液晶層１０６からの反射光がそれに加わる。この結果、大きな検出光量の違いが生じ、それにより識別媒体８０３を識別することができる。
【００８０】
次に光学フィルタ８０５を用い、光学フィルタ８０７を用いない場合を説明する。この場合、白色光８０４を点灯させ、その照射光路に右回り円偏光を選択的に透過する光学フィルタ８０５を挿入すると、検出装置８０６ではコレステリック液晶層１０６からの反射光のみが検出される。他方で、この光学フィルタ８０５を光路から外すと、コレステリック液晶層１０６からの反射光に加えて、多層薄膜１０３からの反射光も検出される。
【００８１】
次に他の態様として、白色光を当てた状態で視野角４５°の角度から見た場合に、コレステリック液晶層１０６から赤の右回り偏光を反射し、多層薄膜１０３からは青の光を反射するように設定されている場合を説明する。この場合、光学フィルタ８０５として左回り円偏光を選択的に透過する光学フィルタを採用するとする。
【００８２】
ここで、光学フィルタ８０５を光路に挿入し、光学フィルタ８０７を光路から外した状態で、識別媒体８０３に白色ランプ８０４から白色光を照射すると、光検出装置８０６において、青の光が検出される。なぜなら、光学フィルタ８０５によって、識別媒体８０３への入射光に含まれる右回り円偏光成分が遮断されるので、コレステリック液晶層１０６からの反射光が検出されないからである。
【００８３】
ここで、光学フィルタ８０５を光路から外し、識別媒体８０３に白色ランプ８０４から白色光を直接照射すると、光検出装置８０６において、赤と青の光が両方検出される。これは、多層薄膜１０３からの反射光とコレステリック液晶層１０６からの反射光の両方が検出装置８０７で検出されるからである。
【００８４】
この場合、光学フィルタ８０５の光路への挿入のある／なしにより、光検出装置８０６に入射する光量に違いが生じ、それに従い光検出装置８０６の出力に違いが出るので、その出力の違いから、識別媒体８０３を識別することができる。また例えば、検出装置８０６が特定の波長を選択的に識別できる機能を備えていれば、光学フィルタ８０５の光路への挿入のある／なしにより、識別媒体８０３からの反射光のスペクトル分布の違いに起因する異なる出力を得ることができ、それにより識別媒体８０３を識別することができる。
【００８５】
このようにして、肉眼で直接みた場合には、分からない特異な光学的な性質が検出され、真正性を識別できる。なお、光学フィルタ８０５と８０７の両方を用いることもできる。また、光検出装置８０６として撮像装置を用い、撮像した画像を電子的に処理、あるいは撮像した画像をディスプレイ上において目視で観察してもよい。
【産業上の利用可能性】
【００８６】
本発明は、パスポート、書類、各種カード、パス、紙幣、金券、証券、証書、商品券、絵画、切符、公共競技投票券、音楽や映像が記録された記録媒体、コンピュータソフトウェアが記録された記録媒体、各種製品およびそのパッケージ等の真正性（真贋性）を識別する技術に利用することができる。また、本発明の識別媒体は、パッケージの開封の有無を識別する開封識別シールに利用することもできる。
【図面の簡単な説明】
【００８７】
【図１】識別媒体の断面構造を示す断面図である。
【図２】コレステリック液晶層の構造を説明する概念図である。
【図３】コレステリック液晶層の光学的な性質を説明する概念図である。
【図４】多層薄膜の光学的な性質を説明する概念図である。
【図５】識別媒体の光学的な性質を説明する概念図である。
【図６】識別媒体の光学的な性質を説明する概念図である。
【図７】識別媒体の断面構造を示す断面図である。
【図８】識別装置の構成を示す模式図である。
【符号の説明】
【００８８】
１００…識別媒体、１０１…物品、１０２…接着層または粘着層、１０３…多層薄膜、１０４…接着層または粘着層、１０５…ホログラム、１０６…コレステリック液晶層、１０７…表面保護層、１０８…印刷図柄、４０１…光透過性の薄膜フィルム、４０２…光透過性の薄膜フィルム、４０３…多層薄膜、５０１…コレステリック液晶層、５０２…多層薄膜、５０３…積層構造、８０１…土台、８０２…物品、８０３…識別媒体、８０４…白色ランプ、８０５…光学フィルタ、８０６…受光装置、８０７…光学フィルタ。
【図１】
2005134490.tif 000003
【図２】
2005134490.tif 000004
【図３】
2005134490.tif 000005
【図４】
2005134490.tif 000006
【図５】
2005134490.tif 000007
【図６】
2005134490.tif 000008
【図７】
2005134490.tif 000009
【図８】
2005134490.tif 000010